(57)【特許請求の範囲】
【請求項１】
釘打ち可能なジオール成分としてエチレングリコールおよびシクロヘキサンジメタノールを含有してなるポリエステル樹脂からなる合成樹脂材料を成形したことを特徴とする遊技機の遊技盤。
【請求項２】
ポリエステル樹脂がエチレングリコール、シクロヘキサンジメタノールおよびテレフタル酸を構成成分とする請求項１記載の遊技機の遊技盤。
【請求項３】
エチレングリコール／シクロヘキサンジメタノールのモル割合が２５〜７５／７５〜２５である請求項１または２記載の遊技機の遊技盤。
【請求項４】
釘打ち可能な合成樹脂材料が、ジオール成分としてエチレングリコールおよびシクロヘキサンジメタノールを含有してなるポリエステル樹脂１００重量部に対し、ポリカーボネート樹脂１０〜９００重量部を溶融混練した樹脂組成物であることを特徴とする請求項１記載の遊技機の遊技盤。
【請求項５】
成形が押出し成形であることを特徴とする請求項１〜４のいずれか記載の遊技機の遊技盤。
【発明の詳細な説明】
【０００１】
【産業上の利用分野】
本発明は例えば、パチンコ機、アレンジボール機等の弾球遊技機や弾球の代りにコインを利用した遊技機の遊技盤に関する。
【０００２】
【従来の技術】
従来、パチンコ機、アレンジボール機等の弾球遊技機やコインを利用した遊技機遊技機の遊技盤には、遊技基板の前面または裏面に絵柄を印刷した透明シートを張り合わせるとともに、環状のガイドレールを設置し、ガイドレールの内側に障害釘、風車、入賞装置、表示ランプ等の各種部品を装着している。
【０００３】
この遊技盤用の基板には、従来天然木材の一枚板や複数の板を張り合わせた合板、あるいは植物小片を接着剤で固めた合板（特開平７−１１６３０５号公報）等が用いられてきた。これらの木製、植物製の遊技盤用基板は各種遊技部品の取り付け用の孔加工や障害釘の釘打ちが容易であり、強度、耐久性に優れるため、従来から広く使用されてきた。
【０００４】
【発明が解決しようとする課題】
しかし、近年森林資源の保護のため天然木材の調達が困難になるとともに、木材調達コストや植物材料加工コストが高騰し、木材等に代る遊技用基板が必要になっている。
【０００５】
そこで、木材に代わるものとして合成樹脂製遊技盤用基板が考えられたが、合成樹脂製の基板の場合には成形加工が容易である反面、障害釘や風車の釘打ちを行なう際に合成樹脂板が割れたり釘が容易に抜け落ちる等、いわゆる釘打ち加工が困難であり、また、釘打ちを行なった樹脂板においても、障害釘の調整を行なう際に樹脂板が割れたり、釘を保持する力が低下し釘が抜け落ちる等の不良が発生し、遊技盤用基板に樹脂板を使用することは困難であった。
【０００６】
すなわち、本発明は、釘打ち可能であり、釘の調整を行なう際に割れたり、釘が抜け落ちない合成樹脂製の遊技機の遊技盤を提供することを目的とする。
【０００７】
【課題を解決するための手段】
上記課題を解決するための手段として、本発明の遊技盤用基板は次のようなものである。
【０００８】
（１）釘打ち可能なジオール成分としてエチレングリコールおよびシクロヘキサンジメタノールを含有してなるポリエステル樹脂からなる合成樹脂材料を成形したことを特徴とする遊技機の遊技盤。
【００１０】
（２）ポリエステル樹脂がエチレングリコール、シクロヘキサンジメタノールおよびテレフタル酸を構成成分とする上記（１）記載の遊技機の遊技盤。
【００１１】
（３）エチレングリコール／シクロヘキサンジメタノールのモル割合が２５〜７５／７５〜２５である上記（１）または（２）記載の遊技機の遊技盤。
【００１２】
（４）釘打ち可能な合成樹脂材料が、ジオール成分としてエチレングリコールおよびシクロヘキサンジメタノールを含有してなるポリエステル樹脂１００重量部に対し、ポリカーボネート樹脂１０〜９００重量部を溶融混練した樹脂組成物であることを特徴とする上記（１）記載の遊技機の遊技盤。
【００１４】
（５）成形が押出し成形であることを特徴とする上記（１）〜（４）のいずれか記載の遊技機の遊技盤。
【００１５】
【発明の実施の形態】
以下本発明の構成を詳述する。
【００１６】
本発明において「釘打ち可能」とは、例えばパチンコの案内釘程度の大きさの釘を打ち込み、かつその釘に曲げ応力を加えても、ひびが入ったり、割れたりすることがなく、また、その釘が容易に抜け落ちない状態をいう。ただし、実際に本発明の遊技盤に釘を打つ場合には、盤成形後、切削加工により予め小孔を開けておくことが好ましい。
【００１７】
本発明におけるポリエステル樹脂を構成するジオール成分としては、エチレングリコールおよびシクロヘキサンジメタノールを含有する。
【００１８】
ジカルボン酸成分としては、テレフタル酸、イソフタル酸、ナフタレンジカルボン酸、パラフェニレンジカルボン酸等を挙げることができるが、中でもテレフタル酸，イソフタル酸が好ましい。
【００１９】
本発明においては、これらジオール成分として、エチレングリコールおよびシクロヘキサンジメタノールを含有してなるポリエステル樹脂を用いる必要が有る。ここで含有するとは主に共重合されているという意味である。また、本発明の効果を損なわない限りその他のポリエステル成分を共重合することもできる。
【００２０】
本発明の好ましい態様として、ジオール成分にエチレングリコール／シクロヘキサンジメタノールの２種を選んだとき、そのモル割合は１〜９９／９９〜１が好ましく、１０〜９０／９０〜１０が更に好ましく、２５〜７５／７５〜２５が特に好ましい。
【００２１】
本発明におけるポリエステル樹脂はポリエステル樹脂単独でも良いが、これは各種熱可塑性樹脂または、強化材、添加剤を配合し、樹脂組成物として成形に供することができる。
【００２２】
配合し得る好ましい熱可塑性樹脂としては、ポリカーボネート樹脂、ポリエステル樹脂、ポリアリレート樹脂等が挙げられ、中でもポリカーボネート樹脂が透明性、コストに優れる点で好ましい。ポリカーボネート樹脂を配合する際には、ポリエステル樹脂１００重量部に対し、ポリカーボネート樹脂１０〜９００重量部が好ましく、２０〜３００重量部が特に好ましい。
【００２３】
各種添加剤としては酸化防止剤、衝撃改良剤、変色防止剤、離型剤、滑剤、可塑剤、耐候剤、顔料、染料、補強材、無機フィラー等が挙げられる。
【００２４】
本発明における遊技盤用の基板にはポリエステル樹脂を成形して得られるが、その成形法はその目的に応じて押出成形、ブロー成形、圧縮成形、真空成形が行なわれる。
【００２５】
本発明における遊技機の遊技盤とは、基板に適宜、付属物を設けたものであり、パチンコ機、アレンジボール機等の弾球遊技機や弾球の替わりにコインを利用した遊技盤の総称である。通常、遊技基板の前面または裏面に絵柄を印刷した透明シートを張り合わせるとともに、環状のガイドレールを設置し、ガイドレールの内側に障害釘、風車、入賞装置、表示ランプ等の各種部品を装着し障害釘や風車等の釘打ちを行なって使用に供する。
【００２６】
【実施例】
以下、実施例を挙げて本発明の効果を具体的に説明する。
【００２７】
実施例１
エチレングリコール６６モル％、シクロヘキサンジメタノール３４モル％からなる混合ジオールとテレフタル酸を用いて通常の方法により縮重合を行ないポリエステル樹脂を得た。このポリエステル樹脂を用い樹脂温度２６０℃、ロール温度６０℃で押出成形し、ポリエステル樹脂製のシートを得た。このシートを切削加工し図１に示す遊技盤用基板を得た。
【００２８】
この基板に鋼球案内釘を打ったところ、ひび、割れは発生しなかった。また、この釘を往復殴打機を用いて、横方向に殴打を１００回繰り返しても釘は抜け落ちることはなかった。
【００２９】
実施例２
エチレングリコール３４モル％、シクロヘキサンジメタノール６６モル％からなる混合ジオールとテレフタル酸を用いて通常の方法により縮重合を行ないポリエステル樹脂を得た。このポリエステル樹脂を用い樹脂温度２８０℃、ロール温度６０℃で押出成形し、ポリエステル樹脂製のシートを得た。このシートを切削加工し図１に示す遊技盤用基板を得た。
【００３０】
この基板に鋼球案内釘を打ったところ、ひび、割れは発生しなかった。また、この釘を往復殴打機を用いて、横方向に殴打を１００回繰り返しても釘は抜け落ちることはなかった。
【００３１】
実施例４
実施例２で得たポリエステル樹脂１００重量部に対し、ポリカーボネート樹脂１００重量部を溶融混練し、樹脂組成物を得た。この樹脂組成物を用い樹脂温度２８０℃、ロール温度６０℃で押出成形し、ポリエステル樹脂製のシートを得た。このシートを切削加工し図１に示す遊技盤用基板を得た。
【００３２】
この基板に鋼球案内釘を打ったところ、ひび、割れは発生しなかった。また、この釘を往復殴打機を用いて、横方向に殴打を１００回繰り返しても釘は抜け落ちることはなかった。
【００３３】
比較例１
エチレングリコールとテレフタル酸を用いて通常の方法により縮重合を行ないポリエステル樹脂を得た。このポリエステル樹脂を用い樹脂温度２８０℃、ロール温度６０℃で押出成形し、ポリエステル樹脂製のシートを得た。このシートを切削加工し図１に示す遊技盤用基板を得た。
【００３４】
この基板に鋼球案内釘を打ったところ、ひび割れが発生した。予め切削加工（錐加工）より小孔を開けていたものはひび割れは発生しなかったが、往復殴打機を用いて、横方向に殴打を１０回繰り返した結果、釘は保持力を失い、抜け落ちた。
【００３５】
【発明の効果】
本発明の遊技機の遊技盤はポリエステル樹脂を成形して得られたものであるため、釘打ちが可能であり、釘打ち角度を随時調整することが可能である。
【図面の簡単な説明】
【図１】パチンコ機の遊技盤用基板の平面概略図である。
【符号の説明】
１    基板
２    貫通窓
３    釘打ち用小孔
【図１】
0003994459.tif 000002